(57)【特許請求の範囲】
【請求項１】
携帯型作業機（１０）等の特定部位（２１）付近に保持される弾性復元性を持つスプリング手段（８０）と、該スプリング手段（８０）に連結されて懸垂されるチェーン乃至線材からなるアース用接地部材（４０）と、を備え、該アース用接地部材（４０）の下端部（４９）が相対的に前記特定部位（２１）から離れる方向に引っ張られたとき、前記スプリング手段（８０）が伸長して、前記アース用接地部材（４０）に対する引っ張り力を緩和乃至吸収するようにされる静電気放出用接地具であって、
前記スプリング手段は、導電性金属材料で作製されたぜんまい（９０）を測長部として持つ巻き尺（８０）であり、該巻き尺（８０）は、前記ぜんまい（９０）からなる測長部の先端部（９２）に、前記アース用接地部材（４０）を連結して懸垂していることを特徴とする静電気放出用接地具。
【請求項２】
前記アース用接地部材（４０）は、背負式動力散布機（１０）における散布管部（２０）の上流側端部付近（２１）に連結されていることを特徴とする請求項１に記載の静電気放出用接地具。
【請求項３】
前記散布管部（２０）内に静電気収集用リード線（６０）が伸装され、該静電気収集用リード線（６０）に前記アース用接地部材（４０）が電気的に接続されていることを特徴とする請求項２に記載の静電気放出用接地具。
【請求項４】
前記散布管部（２０）内に静電気収集用リード線（６０）が伸装され、該静電気収集用リード線（６０）に前記アース用接地部材（４０）が前記ぜんまい（９０）を介して電気的に接続されていることを特徴とする請求項３に記載の静電気放出用接地具。
【発明の詳細な説明】
【０００１】
【発明の属する技術分野】
本発明は、携帯型作業機、例えば、粉状農薬等の散布作業に用いられる背負式動力散布機の散布管部（噴管）等に発生する静電気を外部に放出（アース）するために用いられる静電気放出用接地具に関する。
【０００２】
【従来の技術】
この種の静電気放出用接地具としては、従来、例えば、実開昭５９−２４５３号公報、同じく実開昭６１−８３４６９号公報等に見られるように、不快な、場合によっては危険な事故原因となる静電気が発生する、背負式動力散布機の散布管部（噴管）の上流側端部付近に、導電性を持つチェーン等のアース用接地部材を連結して懸垂し、地面でアースをとるようにしたものが一般的に用いられている。
【０００３】
【発明が解決しようとする課題】
前記のように、チェーン等の接地部材により地面でアースをとるようにしたものでは、充分な除電効果は得られるものの、作業時（歩行時）に前記アース用接地部材（の地面接触部分）を作業者が踏みつけたり、あるいは、前記アース用接地部材が地面上の突起物等に引っかることが多々あり、この際には、前記アース用接地部材に大きな引っ張り力がかかり、該接地部材が切断してしまうことがある。その場合、切断箇所を繋いだり、前記アース用接地部材を新品に交換する等の手間がかかる。
【０００４】
また、アース用接地部材が切断される等して除電効果が充分に得られない状態で、散布作業を行うべく作業者が散布管部に触ると、電撃ショックを受け、大きな不快感を味わうことになる。
なお、携帯型作業機等に用いられる静電気放出手段としては、カーボン繊維を編み込んだリボン状のものを用いて空中放電を行うようにしたものがあるが、かかる静電気放出手段は、踏みつけ等による切断は生じないが、除電効果が小さく、実際には気休めにしかなっていない。
【０００５】
本発明は、上述した如くの従来の問題を解消すべくなされたもので、その目的とするところは、充分な除電効果が得られるとともに、踏みつけ等によるアース用接地部材の切断を確実に回避できるようにされた、携帯型作業機等に用いられる静電気放出用接地具を提供することにある。
【０００６】
【課題を解決するための手段】
前記の目的を達成すべく、本発明に係る携帯型作業機等に用いられる静電気放出用接地具は、基本的には、携帯型作業機等の特定部位付近に保持される弾性復元性を持つスプリング手段と、該スプリング手段に連結されて懸垂されるチェーン乃至線材からなるアース用接地部材と、を備え、該アース用接地部材の下端部が相対的に前記特定部位から離れる方向に引っ張られたとき、前記スプリング手段が伸長して、前記アース用接地部材に対する引っ張り力を緩和乃至吸収するようにされ、前記スプリング手段は、導電性金属材料で作製されたぜんまいを測長部として持つ巻き尺であり、該巻き尺は、前記ぜんまいからなる測長部の先端部に、前記アース用接地部材を連結して懸垂していることを特徴としている。
【０００７】
より具体的な一態様としては、前記アース用接地部材が、背負式動力散布機における散布管部の上流側端部付近に連結されていることを特徴としている。
【００１４】
このようにスプリング手段として巻き尺が用いられた静電気放出用接地具においても、作業時（歩行時）に前記アース用接地部材（の地面接触部分）を踏みつけたとき等においては、前記巻き尺の測長部を構成するぜんまいの先端側が引き出されて弾性的に伸長し、そのぜんまいの伸長によって、前記アース用接地部材に対する引っ張り力が緩和乃至吸収されるとともに、作業者が前記アース用接地部材の踏みつけ等に気づき、直ちに動きを止めることができる。そのため、本構成の静電気放出用接地具においても、前記アース用接地部材による充分な除電効果を確保したもとで、踏みつけ等による前記アース用接地部材の切断を確実に回避できる。また、スプリング手段として巻き尺を用いたことにより、この巻き尺を水管理（水深測定）や稲の生育管理（高さ測定）等に利用することができ、便利である。
【００１５】
本発明に係る静電気放出用接地具のさらに別の好ましい態様では、前記散布管部内に静電気収集用リード線が伸装され、該静電気収集用リード線に前記アース用接地部材が電気的に接続されるか、又は、前記スプリング手段を介して電気的に接続される。
【００１６】
このように、前記散布管部内に静電気収集用リード線を伸装し、該静電気収集用リード線に前記アース用接地部材を直接的又は間接的に接続することにより、前記散布管部の静電気を余すところなく確実にアースすることができる。
【００１７】
【発明の実施の形態】
以下、本発明の実施の形態を図面を参照しながら説明する。
図１は、本発明に係る静電気放出用接地具の第一実施形態を、それが用いられた背負式動力散布機を作業者Ｍが背負った状態（散布作業時）で示す右後方斜視図である。図示の背負式動力散布機１０は、背負いバンド１４、１４が掛けられた側面視Ｌ形の背負架１２に、動力源としての空冷２サイクルガソリンエンジン１７が直結された遠心式の送風機１５が搭載保持されるとともに、該送風機１５上に薬剤タンク１８が保持されている。
【００１８】
前記送風機１５は、外部の空気と前記薬剤タンク１８内の薬剤を吸入混合してそれに速度と圧力を与えて、その右側部に斜め下向きに突設された噴出口１６から、曲がり管２１、蛇腹状のフレキシブル管２２、直噴管２３等からなる散布管部２０を介して外部に吹き出すようになっている。
【００１９】
そして、粉状農薬等の摩擦によって特に強い静電気が発生し易い、前記散布管部２０の上流側端部（前記曲がり管２１）に挿着固定された導電性を有する係止金具３１に、本実施形態の静電気放出用接地具３０が懸垂されている。
【００２０】
本実施形態の静電気放出用接地具３０は、前記係止金具３１の係止溝３１ａ（図２参照）に上端部４１が係止されて懸垂される導電性のボールチェーンからなるアース用接地部材４０と、前記係止金具３１に連結されて懸垂されるスプリング手段５０と、を備え、前記アース用接地部材４０にたるみ部分４５が形成されるように、前記スプリング手段５０の下端部５９が、前記アース用接地部材４０の中間部の所定箇所４７に連結されている。
【００２１】
前記スプリング手段５０は、図２に水平に寝かせた状態で示されているように、上側から順次、前記係止金具３１に繋止された紐５１、有底円筒状の接続体５２、円環状の二巻き接続リング５３、小さな引っ張り力でも大きく伸びる樹脂製のコイルスプリング５５、円環状の二巻き接続リング５６、有底円筒状の接続体５７、及び、紐５８からなっており、各部材が一本の線材のように繋がれている（携帯電話機用の市販ストラップでそのまま利用できるものがある）。
ここでは、前記アース用接地部材４０における前記たるみ部分４５の全長Ｌｔは、前記スプリング手段５０の実効懸垂長Ｌｓより、前記作業者Ｍの走幅に対応させた所定長以上長くされている。
【００２２】
このような構成とされた本実施形態の静電気放出用接地具３０においては、前記アース用接地部材４０に前記たるみ部分４５が形成されるように、言い換えれば、前記アース用接地部材４０における前記たるみ部分４５の全長Ｌｔが、前記スプリング手段５０の前記実効懸垂長Ｌｓより所定長以上長くされて、前記下端部５９が前記アース用接地部材４０の前記上端部４１から前記たるみ部分４５の全長Ｌｔだけ離れた中間部の所定箇所４７に連結されているので、作業時（歩行時）に前記アース用接地部材４０（の地面Ｇへの接触部分４９）を踏みつけたり、あるいは、前記アース用接地部材４０を地面Ｇ上の突起物等に引っかけたとき、前記スプリング手段５０（の前記コイルスプリング５５）が引っ張られて弾性的に伸長し、その伸長が前記アース用接地部材４０の前記たるみ部分４５で吸収されるとともに、作業者Ｍがそれに気づき、直ちに動きを止めることができる。
【００２３】
そのため、前記アース用接地部材４０には大きな引っ張り力がかからず、したがって、前記アース用接地部材４０による充分な除電効果を確保した上で、踏みつけ等による前記アース用接地部材４０の切断を確実に回避できる。
【００２４】
図３は、本発明に係る静電気放出用接地具の第二実施形態を、第一実施形態で示した背負式動力散布機１０の散布管部２０に取り付けた状態を示す。
本実施形態の静電気放出用接地具３２は、前記散布管部２０の上流側端部（前記曲がり管２１）に横向きに挿着固定された導電性を有するボルト状の係止金具（リード線端子）６３に係止されて懸垂されている導電性金属材料で作製されたスプリング手段としてのコイルスプリング７０と、該コイルスプリング７０に導電性を有する連結金具７５を介して係止されて懸垂された導電性のボールチェーンからなるアース用接地部材４０（第一実施形態のものと同種類）と、を備えている。
【００２５】
より詳しくは、前記係止金具６３における前記曲がり管２１から外側に突出している部分に、前記コイルスプリング７０の上側フック部７１が係止され、前記コイルスプリング７０の下側フック部７２に前記連結金具７５が係止されている。この連結金具７５は、図４に示される如くに、板金を折曲成形したもので、係止横溝７７が形成された円筒部７６を有し、前記係止横溝７７に前記アース用接地部材４０の上端部４１が圧入係止されている。なお、必要に応じて、前記アース用接地部材４０の上端部４１を前記円筒部７６に、導電性接着剤、あるいは、はんだ付け等により固着するようにしてもよい。また、前記係止横溝７７付きの前記係止金具７５に代えて、図５に示される如くの、前記アース用接地部材４０のボール部分（上端部４１）を通し得る丸穴７８ａ付きの係止縦溝７８が円筒部７６’に形成された連結金具７５’を用いてもよい。この場合は、接着剤やはんだ付けは不要となる。
【００２６】
一方、前記係止金具（リード線端子）６３における前記曲がり管２１内部分には、静電気収集用リード線６０の一端部６１が繋着されており、該静電気収集用リード線６０は、前記曲がり管２１内において前記係止金具６３から下流に向かって伸装されて、前記フレキシブル管２２や前記直噴管２３の静電気を収集するようになっている。したがって、本実施形態の静電気放出用接地具３２においては、前記静電気収集用リード線６０に前記アース用接地部材４０が前記連結金具７５及び前記コイルスプリング７０を介して電気的に接続されていることになる。なお、前記金属製のコイルスプリング７０に代えて、導電性を有するゴム製のスプリングを用いてもよい。
【００２７】
かかる構成の静電気放出用接地具３２においても、第一実施形態と同様に、作業時（歩行時）に前記アース用接地部材４０（の地面接触部分４９）を踏みつけたとき等においては、前記コイルスプリング７０が前記アース用接地部材４０に直接引っ張られて弾性的に伸長し、前記コイルスプリング７０の伸長によって、前記アース用接地部材４０に対する引っ張り力が緩和乃至吸収されるとともに、作業者が前記アース用接地部材４０の踏みつけ等に気づき、直ちに動きを止めることができる。そのため、極めてシンプルな構成でありながら、前記アース用接地部材４０による充分な除電効果を確保したもとで、踏みつけ等による前記アース用接地部材４０の切断を確実に回避できる。
【００２８】
また、前記散布管部２０内に静電気収集用リード線６０を伸装し、該静電気収集用リード線６０に前記アース用接地部材４０を前記連結金具７５及び前記コイルスプリング７０を介して電気的に接続したことにより、前記散布管部２０の静電気を余すところなく確実にアースすることができる。
【００２９】
図６は、本発明に係る静電気放出用接地具の第三実施形態を、第一実施形態で示した背負式動力散布機１０の散布管部２０に取り付けた状態を示す。
本実施形態の静電気放出用接地具３３は、前記スプリング手段として、図８に示される如くの、導電性金属材料で作製されたぜんまい９０を測長部として持つ巻き尺８０が用いられ、この巻き尺８０が前記散布管部２０の前記曲がり管２１に取り付け保持され、前記ぜんまい９０からなる測長部の先端部９２に、ボールチェーンからなるアース用接地部材４０（第一実施形態のものと同種類）が連結されて懸垂されている
【００３０】
より詳しくは、前記巻き尺８０は、前記ぜんまい９０からなる測長部がスチール製（導電性を持つ）の市販のものを流用しており、合成樹脂製の角箱状本体ケース８１に回動自在に設けられた支軸８２に前記ぜんまい９０が外嵌されている。該ぜんまい９０の内端部９１は、前記支軸８２に係止され、その外端部（先端部）９２は、前記本体ケース８１の引き出し口８３から外方（ここでは下方）に向けて引き出されるようになっている。なお、前記ぜんまい９０は、その一面側に目盛が付されるとともに、直線的に伸ばすことができるように厚み方向に凹面形状とされている（図９参照）。
【００３１】
前記巻き尺８０は、図７に示される如くに、前記本体ケース８１の三隅に挿入される止めねじ８４、８４、８４を前記曲がり管２１に設けられた雌ねじ部６６、６６、６６にねじ込むことにより、前記曲がり管２１に取り付け保持されている。なお、前記巻き尺８０の前記曲がり管２１への取り付けは、前記ねじ止めの他、両面テープやマジックテープ（商標）等を用いて着脱自在に取り付けることもできる。
【００３２】
また、前記ぜんまい９０の先端部９２には、図９に示される如くに、通常は測長用として用いられるＬ形板９５がリベット止め等により固着されており、このＬ形板９５の係止辺部９６に形成された係止溝９７に前記アース用接地部材４０の上端部４１が圧入係止されている。なお、必要に応じて、前記アース用接地部材４０の前記上端部４１を前記係止辺部９６に、導電性接着剤、あるいは、はんだ付け等により固着するようにしてもよい。また、前記Ｌ形板９５に代えて、図１０に示される如くの、係止辺部９６’がＣ字状に丸められて、該係止辺部９６’に係止縦溝９８が形成され、前記アース用接地部材４０のボール部分（上端部４１）を側方から前記丸められている部分に挿入して係止するようにした連結金具９５’を用いてもよい。この場合は、接着剤やはんだ付けは不要となる。
【００３３】
一方、前記曲がり管２１における前記巻き尺８０の取り付け部近傍には、図７に示される如くに、導電性金属材料で作製された雌ねじ６７付きのリード線端子６４が横向きに挿着固定されており、該リード線端子６４における前記曲がり管２１内部分には、静電気収集用リード線６０の一端部６１が繋着されている。前記静電気収集用リード線６０は、前記曲がり管２１内において前記リード線端子６４から下流に向かって伸装されて、前記フレキシブル管２２や前記直噴管２３の静電気を収集するようになっている。
【００３４】
そして、本実施形態の静電気放出用接地具３３においては、前記アース用接地部材４０を前記静電気収集用リード線６０に電気的に確実に接続するため、前記巻き尺８０における前記本体ケース８１の一側面部８１ａに、導電性金属板からなる導通板８５が取付固定されている。この導通板８５は、前記ぜんまい９０の導電性を維持せしめた他面側の前記引き出し口８３直下部分に圧接せしめられるへ字状部８５ａと、前記リード線端子６４に対面せしめられる、ねじ挿通穴８５ｃが形成された当接板部８５ｂを有しており、該当接板部８５ｂを前記リード線端子６４の外端面に押し当てた状態で、前記ねじ挿通穴８５ｃを介して導電性の平ねじ８８を前記雌ねじ部６７にねじ込むことにより、前記ぜんまい９０と前記リード線端子６４とが電気的に接続され、これにより、前記アース用接地部材４０が、前記ぜんまい９０及び前記導通板８５を介して前記静電気収集用リード線６０に電気的に接続される。
【００３５】
このようにスプリング手段として巻き尺８０が用いられた静電気放出用接地具３３においても、作業時（歩行時）に前記アース用接地部材４０（の地面接触部分４９）を踏みつけたとき等においては、前記巻き尺８０の測長部を構成する前記ぜんまい９０の先端側が引き出されて弾性的に伸長し、前記ぜんまい９０の伸長によって、前記アース用接地部材４０に対する引っ張り力が緩和乃至吸収されるとともに、作業者が前記アース用接地部材４０の踏みつけ等に気づき、直ちに動きを止めることができる。そのため、本構成の静電気放出用接地具３３においても、前記アース用接地部材４０による充分な除電効果を確保したもとで、踏みつけ等による前記アース用接地部材４０の切断を確実に回避できる。また、スプリング手段として巻き尺８０を用いたことにより、この巻き尺８０を水管理（水深測定）や稲の生育管理（高さ測定）等に利用することができ、便利である。
【００３６】
さらに、前記散布管部２０内に静電気収集用リード線６０を伸装し、該静電気収集用リード線６０に前記アース用接地部材４０を前記ぜんまい９０や前記導通板８５を介して電気的に接続したことにより、前記散布管部２０の静電気を余すところなく確実にアースすることができる。
【００３７】
以上、本発明のいくつかの実施形態について詳述したが、本発明は、前記実施形態に限定されるものではなく、特許請求の範囲に記載された発明の精神を逸脱しない範囲で、設計において、種々の変更ができるものである。
例えば、前記アース用接地部材４０は、ボールチェーンに限定されるものではなく、所望の導電性及び柔軟性を有する適宜のものを用いることができる。
【００３８】
【発明の効果】
以上の説明から理解されるように、本発明の携帯型作業機等に用いられる静電気放出用接地具は、簡便、安価な構成で充分な除電効果を確保した上で、踏みつけ等によるアース用接地部材の切断等を確実に回避できるという、優れた効果が得られる。
【図面の簡単な説明】
【図１】本発明に係る静電気放出用接地具の第一実施形態を、それが用いられた背負式動力散布機を作業者が背負った状態（散布作業時）で示す右後方斜視図。
【図２】図１に示される静電気放出用接地具の主要部を水平に寝かせた状態で示す拡大図。
【図３】本発明に係る静電気放出用接地具の第二実施形態を、背負式動力散布機の散布管部に取り付けた状態を示す図。
【図４】図３に示される静電気放出用接地具のアース用接地部材とコイルスプリングとの連結部分の一例を拡大して示す図。
【図５】図３に示される静電気放出用接地具のアース用接地部材とコイルスプリングとの連結部分の変形例を拡大して示す図。
【図６】本発明に係る静電気放出用接地具の第三実施形態を、背負式動力散布機の散布管部に取り付けた状態を示す図。
【図７】図６に示される静電気放出用接地具の主要部を、散布管部から取り外した状態を示す分解斜視拡大図。
【図８】図６に示される静電気放出用接地具の主要部を切欠して示す正面図。
【図９】図６に示される静電気放出用接地具のアース用接地部材とぜんまいとの連結部分の一例を拡大して示す図。
【図１０】図６に示される静電気放出用接地具のアース用接地部材とぜんまいとの連結部分の他の例を拡大して示す図。
【符号の説明】
１０…背負式動力散布機（携帯型作業機）
２０…散布管部
２１…曲がり管（特定部位：上流側端部）
３０…静電気放出用接地具
４０…アース用接地部材（ボールチェーン）
４５…たるみ部分
４７…中間部
４９…下端部（地面接触部分）
５０…スプリング手段
５５…コイルスプリング
５９…下端部
Ｌｔ…たるみ部の全長
Ｌｓ…スプリング手段の実効懸垂長
６０…静電気収集用リード線
７０…コイルスプリング
７２…下端部
８０…巻き尺
９０…ぜんまい
９２…先端部
【図１】
0004025543.tif 000002
【図２】
0004025543.tif 000003
【図３】
0004025543.tif 000004
【図４】
0004025543.tif 000005
【図５】
0004025543.tif 000006
【図６】
0004025543.tif 000007
【図７】
0004025543.tif 000008
【図８】
0004025543.tif 000009
【図９】
0004025543.tif 000010
【図１０】
0004025543.tif 000011